(57)【要約】【課題】装置搬送用のキャスターによるケーブル等の障害物の絡まりや踏みつけを防ぐとともに、床面に引きずられることなく、移動型装置のスムーズな移動を可能とするキャスター用ガードを提供することを目的とする。【解決手段】キャスター用ガード１０が、キャスター３に装着された装着部２０と、キャスター３の回転方向の先にある障害物Ｃに当たって当該障害物Ｃを押しのけるガード本体３０と、を備えており、ガード本体３０が、装着部２０に対し、上下方向に位置調整可能に取り付けられている。【選択図】図１
2019081525.tif 000002
【特許請求の範囲】
【請求項１】
キャスターに装着された装着部と、
前記キャスターの回転方向の先にある障害物に当たって当該障害物を押しのけるガード本体と、を備えており、
前記ガード本体は、前記装着部に対し、上下方向に位置調整可能に取り付けられていることを特徴とするキャスター用ガード。
【請求項２】
前記ガード本体は、少なくとも前記キャスターの回転方向における先着側に配置され、かつ前記障害物を押しのける押しのけ部を有することを特徴とする請求項１に記載のキャスター用ガード。
【請求項３】
前記ガード本体は、最下方への位置調整時に、前記キャスターが接する床面との間に隙間が形成されるようにして前記装着部に取り付けられていることを特徴とする請求項１又は２に記載のキャスター用ガード。
【請求項４】
前記キャスターは、回転する車輪と、当該車輪を保持する保持部と、を備えており、
前記装着部は、前記車輪に対して非接触とされ、かつ前記保持部に取り付けられていることを特徴とする請求項１〜３のいずれか一項に記載のキャスター用ガード。
【請求項５】
前記キャスターは、重量物の下端部に、当該重量物の脚部として設けられていることを特徴とする請求項１〜４のいずれか一項に記載のキャスター用ガード。
【発明の詳細な説明】
【技術分野】
【０００１】
本発明は、キャスター用ガードに関する。
【背景技術】
【０００２】
病院の病室や手術室における床面には、測定や診断のための各種装置における電源ケーブルやプローブケーブル等が散乱している場合が多く、病院で使用される重量物である各種の移動型装置に備えられた装置搬送用のキャスターに、電源ケーブルやプローブケーブル等が絡まったり、踏みつけたりする場合があった。このような問題を解決するため、特許文献１に記載のように、電源ケーブルやプローブケーブル等の絡まりや踏みつけを防止するロールガードが開発されている。
【先行技術文献】
【特許文献】
【０００３】
【特許文献１】特許第４１０５２３９号公報
【発明の概要】
【発明が解決しようとする課題】
【０００４】
ところが、特許文献１のロールガードは、安定した使用感を得るために、円筒形に形成され、かつ下側部分が内壁から中心軸線に向かって広がって重み付けされている。そのため、キャスター径が大きいと、これに比例してロールガードも大きく、かつ重くなる場合があった。
また、装置搬送用のキャスター自体は床面に接しているため、ロールガードを装着したままでも移動型装置を移動させることは可能であるものの、ロールガードを床面に引きずりながら移動することになるため、ロールガードに埃が付着したり、ロールガードによって床面に傷や汚れがついてしまったりすることがある。また、ロールガードが引っ掛かって、床面の段差部分や傾斜部分を通過する際に支障が出る場合もある。そのため、装置の移動時にはロールガードを取り外す必要があり、手間がかかっていた。
【０００５】
本発明の課題は、装置搬送用のキャスターによるケーブル等の障害物の絡まりや踏みつけを防ぐとともに、床面に引きずられることなく、移動型装置のスムーズな移動を可能とするキャスター用ガードを提供することを目的とする。
【課題を解決するための手段】
【０００６】
上記課題を解決するため、請求項１に記載の発明は、
キャスターに装着された装着部と、
前記キャスターの回転方向の先にある障害物に当たって当該障害物を押しのけるガード本体と、を備えており、
前記ガード本体は、前記装着部に対し、上下方向に位置調整可能に取り付けられていることを特徴とする。
【発明の効果】
【０００７】
本発明によれば、装置搬送用のキャスターによるケーブル等の障害物の絡まりや踏みつけを防ぐとともに、床面に引きずられることなく、移動型装置のスムーズな移動が可能となる。
【図面の簡単な説明】
【０００８】
【図１】キャスター用ガードの使用例を示す斜視図である。
【図２】キャスターに装着されたキャスター用ガードを示す斜視図である。
【図３】キャスターに装着されたキャスター用ガードを示す側面図である。
【図４】装着部を省略した状態の平面図である。
【図５】キャスター用ガードの縦断面斜視図である。
【図６】装着部の図３におけるＡ−Ａ線断面図である。
【図７】キャスターを含むキャスター用ガードの縦断面斜視図である。
【図８】キャスターに装着されたキャスター用ガードを示す斜視図である。
【図９】キャスター用ガードが装着されたキャスターの動作を説明する図である。
【図１０】キャスター用ガードの変形例を説明する図である。
【発明を実施するための形態】
【０００９】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００１０】
図１は、キャスター用ガード１０の使用例を示すものであり、本実施形態においては、重量物である超音波診断装置１に採用されている。
超音波診断装置１は、検査対象の体内に超音波ビームを照射し、体内で反射された超音波を受信して画像化する装置であり、その簡便性から、検査室だけでなく、病室内に搬入して患者のベッドサイドでも利用されている。
そのため、この超音波診断装置１は、複数のキャスター３が一体的に設けられた脚部２を備えた移動型装置である。
脚部２は、超音波診断装置１の装置本体を支持する支柱２ａと、支柱２ａの下端部を中心にして枝分かれするように形成された複数の枝脚２ｂと、を有する。キャスター３は、この脚部２の一部として、複数の枝脚２ｂの先端部下面のそれぞれに設けられている。
このようにキャスター３が複数設けられることにより、重量物の移動型装置である超音波診断装置１は移動が可能となっている。
【００１１】
なお、本実施形態においては、重量物の移動型装置として超音波診断装置１が採用されているが、これに限られるものではなく、その他の装置や機器を重量物として採用してもよい。
また、キャスター用ガード１０は、必ずしも重量物である装置や機器に採用されるものでなくてもよく、重量物ではない各種の装置や製品等に採用されてもよい。換言すれば、キャスター用ガード１０は、キャスター３が設けられた移動型の物の全般に採用することが可能となっている。
【００１２】
キャスター３は、本実施形態においては、双輪キャスターが採用されており、回転する一対の車輪４と、当該一対の車輪４を回転可能に保持する保持部５と、保持部５の上端部から上方に突出して脚部２における枝脚２ｂに接続される接続部６と、を備えている。
【００１３】
保持部５は、一対の車輪４，４間に位置し、一対の車輪４の回転を止めることが可能なストッパーが内部機構として設けられたものである。
このような保持部５は、一対の車輪４におけるホイール部４ａの中心に固定されて内部機構であるストッパー機構と連動する回転軸５ａと、ストッパー機構のオンオフ切り替えを行うための操作部５ｂと、を有する。操作部５ｂは、図３の実線で示す状態がストッパー機構をオフにした状態（車輪４の回転可）であり、図３の二点鎖線で示す状態がストッパー機構をオンにした状態（車輪４の回転不可）である。
また、保持部５は、接続部６に対して自由に旋回できるように連結されており、保持部５と接続部６とを旋回可能に連結する箇所も、ストッパー機構と同様に内部機構として保持部５の内部に設けられている。
さらに、保持部５と、この保持部５の左右に配置された一対の車輪４との間には、図４に示すように、隙間Ｓ１が形成されている。
【００１４】
接続部６は、保持部５の上端部から上方に突出するピン状のものであり、脚部２における枝脚２ｂの先端部下面に形成された図示しない嵌合穴部に差し込まれて保持される。
なお、本実施形態においては、ピン状の接続部６としたが、外周面に雄ネジが形成されたボルト状のものでもよい。この場合、枝脚２ｂ先端部下面の嵌合穴部には雌ネジが形成される。
【００１５】
キャスター３における一対の車輪４は、図３に示すように、接続部６の軸線に対してずれて配置されている。例えば超音波診断装置１を押して一定時間（又は距離）移動させた場合には、一対の車輪４における接続部６側が、一対の車輪４の回転方向（矢印Ｙで示す方向）における先着側となる。そのため、本実施形態では、以下、キャスター３及びキャスター用ガード１０において、キャスター３の接続部６がある側を「前側（先着側）」として説明する（図２参照。）。
【００１６】
なお、本実施形態におけるキャスター３は、双輪キャスターとされているが、これに限られるものではなく、単輪キャスターであってもよい。
単輪キャスターを採用した場合であっても、車輪を回転可能に保持する保持部と、この保持部が自由に旋回できるように連結され、かつ脚部に接続される接続部と、を備えるものとする。
【００１７】
このような構成のキャスター３に対して、図１，図２等に示すように、キャスター用ガード１０が装着されている。
キャスター用ガード１０は、キャスター３に装着された装着部２０と、キャスター３の回転方向の先にある障害物Ｃに当たって当該障害物Ｃを押しのけるガード本体３０と、を備えている。
そして、ガード本体３０は、装着部２０に対し、上下方向に位置調整可能に取り付けられている。
【００１８】
装着部２０は、図２〜図８に示すように、天板部２１と、この天板部２１の四方に、下垂するようにして設けられた側壁部２２〜２５と、キャスター３における保持部５を挟持する一対の挟持壁部２６と、キャスター３における保持部５を掴持する一対の掴持壁部２７と、を有する。
そして、このような装着部２０は、一対の車輪４に対して非接触とされ、かつ保持部５に取り付けられている。
【００１９】
天板部２１は、図２，図３等に示すように、前側の縁部が円弧状に湾曲形成され、その他の縁部は直線状に形成されている。
天板部２１の中央には開口部２１ａが形成されており、保持部５の上端部及び接続部６が通される。また、開口部２１ａの縁部に沿って筒状部２１ｂが設けられており、保持部５の上端部が、筒状部２１ｂの内周面に接した状態で設けられている。
【００２０】
側壁部２２〜２５のうち、前側に位置する第一側壁部２２は、天板部２１の円弧状に形成された縁部から下垂するようにして設けられており、装着部２０の前側面を構成している。
側壁部２２〜２５のうち、第二側壁部２３及び第三側壁部２４は、第一側壁部２２の左右両サイドに位置し、装着部２０の左右側面を構成している。
側壁部２２〜２５のうち、後側に位置する第四側壁部２５は、天板部２１の円弧状に形成された縁部とは反対側の縁部から下垂するようにして設けられて装着部２０の後側面を構成しており、その下垂する長さは、キャスター３に届かないように設定されている。
【００２１】
第二側壁部２３及び第三側壁部２４には、後述するガード本体３０における第二筒壁部３２及び第三筒壁部３３の各々の内側面に形成された突部３２ａ，３３ａが嵌まる孔部２３ａ，２３ｂ・２４ａ，２４ｂが形成されている。
これら孔部２３ａ，２３ｂ・２４ａ，２４ｂは、ガード本体３０を、装着部２０に対して上下方向に位置調整するためのものであり、それぞれ上下に離間して形成されている。すなわち、第二側壁部２３には、上方の孔部２３ａと下方の孔部２３ｂとが形成され、第三側壁部２４には、上方の孔部２４ａと下方の孔部２４ｂとが形成されている。また、上方の孔部２３ａ，２４ａ同士、下方の孔部２３ｂ，２４ｂ同士は、互いに対向する位置関係となっている。
【００２２】
第四側壁部２５の下端部中央には、図２，図５，図７に示すように、この第四側壁部２５よりも更に下垂する下垂壁部２５ａが一体形成されている。下垂壁部２５ａの下垂する長さも、第四側壁部２５の下垂する長さよりは長いものの、キャスター３には届かないように設定されている。
【００２３】
一対の挟持壁部２６は、図２，図５〜図７に示すように、下垂壁部２５ａの左右両端側に位置しており、装着部２０の内側にリブ状に設けられている。さらに、これら一対の挟持壁部２６は、第四側壁部２５及び下垂壁部２５ａと直交する方向に配置され、かつ、天板部２１、第四側壁部２５及び下垂壁部２５ａに一体形成されている。また、一対の挟持壁部２６における前側端部同士は、図６に示すように、補強壁部２６ａによって一体に連結されている。下垂壁部２５ａ、一対の挟持壁部２６、補強壁部２６ａは、断面視で矩形状を成すようにして一体形成されるため、装着部２０の後端部付近の剛性を向上させることができる。
また、これら一対の挟持壁部２６の下垂する長さは、キャスター３に到達する長さよりも長く設定されており、下端部が、保持部５と一対の車輪４との間に形成された隙間Ｓ１に差し込まれた状態となっている。そして、保持部５は、一対の挟持壁部２６，２６間に挟み込まれて保持された状態となっている。
すなわち、装着部２０は、当該装着部２０の後端部上側において保持部５と係合した状態となっている。
【００２４】
一対の掴持壁部２７は、図５〜図８に示すように、第一側壁部２２と交差するようにして、かつ、一対の挟持壁部２６の直線上に位置するようにして、第一側壁部２２の内側面にリブ状に設けられている。また、一対の掴持壁部２７は、天板部２１及び第一側壁部２２に一体形成されている。さらに、一対の掴持壁部２７は、補強壁部２７ａによって一体に連結されており、当該一対の掴持壁部２７が形成された部位付近の剛性を向上させている。
これら一対の掴持壁部２７の下垂する長さは、第一側壁部２２の下垂する長さよりも長く設定され、段状に形成された保持部５の下端面のうち上側に位置する下端面５ｃよりも下方に突出した状態となっている。当該下方に突出した部分は、下端面５ｃ側に突出する爪状の引掛部２７ｂとされており、保持部５の下端面に引っ掛かる構成となっている。これにより、保持部５は、一対の掴持壁部２７，２７によって掴まれて保持された状態となっている。
すなわち、装着部２０は、当該装着部２０の前端部下側において保持部５と係合した状態となっている。
【００２５】
装着部２０は、上述のように、天板部２１に形成された開口部２１ａに保持部５の上端部が嵌まり、一対の挟持壁部２６によって後端部上側が保持部５と係合し、一対の掴持壁部２７によって前端部下側が保持部５と係合するため、キャスター３に対して確りと外れにくいように装着された状態となっている。
【００２６】
続いて、ガード本体３０は、図２〜図５に示すように、略筒状に形成され、装着部２０の外側に設けられている。すなわち、略筒状に形成されたガード本体３０の内側面に沿って装着部２０が設けられた状態となっており、ガード本体３０は、装着部２０に接した状態で上下方向に移動する構成となっている。また、ガード本体３０は、装着部２０だけでなく、キャスター３も取り囲むようにして形成されている。
このようなガード本体３０は、前側に位置してガード本体３０の前側面を構成する第一筒壁部３１と、第一筒壁部３１の左右両サイドに位置し、ガード本体３０の左右側面を構成する第二筒壁部３２及び第三筒壁部３３と、後側に位置してガード本体３０の後側面を構成する第四筒壁部３４と、を有する。
【００２７】
第一筒壁部３１は、装着部２０の第一側壁部２２の外側面に沿って円弧状に形成されている。すなわち、ガード本体３０の第一筒壁部３１と、装着部２０の第一側壁部２２は重なり合い、第一筒壁部３１の内側面が、装着部２０の第一側壁部２２の外側面に接し、当該第一側壁部２２の外側面上を摺動するようにして上下方向に位置調整できるようになっている。
そして、この第一筒壁部３１は、キャスター３の回転方向における先着側に配置され、かつ障害物Ｃを押しのける押しのけ部として機能する。
【００２８】
第二筒壁部３２及び第三筒壁部３３は、装着部２０における第二側壁部２３及び第三側壁部２４に対し、それぞれ重なり合い、第二筒壁部３２及び第三筒壁部３３の内側面が、装着部２０における第二側壁部２３及び第三側壁部２４の外側面に接するようにして設けられている。
また、第二筒壁部３２及び第三筒壁部３３は、図３に示すように、側面視において略Ｌ字状に形成されており、上下寸法の長い部位が、装着部２０における第二側壁部２３及び第三側壁部２４に対して重なり合う。このように上下寸法の長い部位の内側面には、上記した突部３２ａ，３３ａがそれぞれ形成されており（図４参照。）、装着部２０における第二側壁部２３及び第三側壁部２４に形成された上下の孔部２３ａ，２３ｂ・２４ａ，２４ｂに嵌まるようになっている。
【００２９】
さらに、第二筒壁部３２及び第三筒壁部３３のうち上下寸法の長い部位の後端部には、当該上下寸法の長い部位と、上下寸法の短い部位との段差を利用して、装着部２０側に突出する折り返し部３２ｂ，３３ｂが形成されている（図４等参照。）。
これら折り返し部３２ｂ，３３ｂは、装着部２０における第二側壁部２３及び第三側壁部２４の後端部にそれぞれ接しており、図２，図３，図５に示すように、第一筒壁部３１と共に装着部２０を抱持したような状態となっている。すなわち、装着部２０は、ガード本体３０の第一筒壁部３１と、第二筒壁部３２及び第三筒壁部３３と、これら第二筒壁部３２及び第三筒壁部３３における折り返し部３２ｂ，３３ｂによって抱えられるようにして保持されている。
【００３０】
また、第二筒壁部３２及び第三筒壁部３３の下端部中央には、図２，図３，図５に示すように、切欠部３２ｃ，３３ｃが形成されており、キャスター３の下端部が視認できるようになっている。
【００３１】
第四筒壁部３４は、第二筒壁部３２及び第三筒壁部３３における上下寸法の短い部位の後端部同士を連結するようにして設けられており、第一筒壁部３１とは反対側（後方）に膨らむようにして円弧状に形成されている。この第四筒壁部３４は、第二筒壁部３２及び第三筒壁部３３の後端部以外はどこにも接していない状態となっている。ただし、キャスター３の保持部５における操作部５ｂを下側に操作して、ストッパー機構をオンにした状態においては、ガード本体３０を上方に位置調整しようとしたときに、第四筒壁部３４の上端部が操作部５ｂに当たるようになっている。つまり、操作部５ｂは、ストッパー機構をオンにした状態において、ガード本体３０の上方向への位置調整を規制することが可能となっている。これにより、キャスター３回転不可時にはガード本体３０が下りた状態となるので、ケーブル等の障害物Ｃがキャスター３に絡まるのを防ぐことができる。
そして、この第四筒壁部３４は、キャスター３の回転方向における後着側に配置され、かつ障害物Ｃを押しのける押しのけ部として機能する。すなわち、例えば超音波診断装置１を後方に動かす際に、第四筒壁部３４が、後方にある障害物Ｃを押しのける。保持部５が接続部６に対して自由に旋回するため、キャスター３は途中で向きが変わることになるが、向きが変わった後は、第一筒壁部３１が第四筒壁部３４に代わって障害物Ｃを押しのける役割を果たすようになる。
【００３２】
ガード本体３０は、最下方への位置調整時に、キャスター３が接する床面Ｆとの間に隙間Ｓ２が形成されるようにして装着部２０に取り付けられている。隙間Ｓ２の上下寸法は、電源ケーブル等の障害物Ｃの径寸法よりも短く設定されている。
換言すれば、ガード本体３０は、装着部２０に取り付けられた状態においては、床面Ｆに接しないように構成されている。
より詳細に説明すると、ガード本体３０における突部３２ａ，３３ａが、装着部２０における下方の孔部２３ｂ，２４ｂに嵌まっている状態においては、ガード本体３０の下端面と、床面Ｆとの間に隙間Ｓ２が形成される（図９ａ，図１０参照。）。
なお、ガード本体３０における突部３２ａ，３３ａが、装着部２０における上方の孔部２３ａ，２４ａに嵌まっている状態においても、当然、ガード本体３０の下端面と、床面Ｆとの間に、上記した隙間Ｓ２よりも大きい隙間Ｓ３が形成される（図９ｂ参照。）。この隙間Ｓ３の上下寸法は、障害物Ｃの上下寸法よりも長い場合があるが、その場合は、ガード本体３０を下方に位置調整すればよい。
【００３３】
なお、キャスター用ガード１０は、軽量な樹脂材料（樹脂組成物）で構成されており、上下方向に位置調整する際の操作性に優れる。
【００３４】
また、第二筒壁部３２及び第三筒壁部３３は、図４に示すように、平面視において、キャスター３の外側面に沿って直線状に形成されている。そのため、例えば平面視において円筒状に形成されたキャスター用ガードに比して、左右幅寸法を短くすることができる。これにより、キャスター用ガード１０を小型化できるので、キャスター３に装着させた時に周囲の邪魔にならないという利点や、製造コストの面においても有利になるという利点がある。
換言すれば、キャスター用ガード１０における押しのけ部は、キャスター３の回転方向における先着側や後着側にあればよいので、左右幅方向に円弧状に形成される必要がない。むしろ、左右幅方向に円弧状に形成されていなければ、その分、小型化・省スペース化を図ることができるので好ましい。
【００３５】
以上のように構成されたキャスター用ガード１０がキャスター３に装着された超音波診断装置１を移動させる場合は、任意の方向に超音波診断装置１を動かすだけで、キャスター３が旋回し、図９（ａ）に示すような向きで進行する。
この時、ガード本体３０を下方に位置調整しておけば、ガード本体３０の第一筒壁部３１によって障害物Ｃを押しのけることができるため、キャスター３が障害物Ｃに乗り上げて踏みつけてしまったり、キャスター３の回転軸５ａに障害物Ｃ（ケーブル）が絡まってしまったりすることがない。
また、床面Ｆに段差部分や傾斜部分Ｆ１が形成されている場合は、図９（ｂ）に示すように、ガード本体３０を上方に位置調整しておけば、ガード本体３０の下端部が、床面Ｆの段差部分や傾斜部分Ｆ１に引っ掛からないようになる。
【００３６】
以上説明したように、本実施形態のキャスター用ガード１０によれば、キャスター３に装着された装着部２０と、キャスター３の回転方向の先にある障害物Ｃに当たって当該障害物Ｃを押しのけるガード本体３０と、を備えており、ガード本体３０は、装着部２０に対し、上下方向に位置調整可能に取り付けられているので、ガード本体３０の上下位置を調整すれば、超音波診断装置１を移動させる際に、ガード本体３０を床面Ｆに引きずらないようにすることができる。したがって、キャスター用ガード１０に埃が付着したり、キャスター用ガード１０によって床面に傷や汚れがついてしまったりすることを防ぐことができる。また、キャスター用ガード１０が引っ掛かって、床面Ｆの段差部分や傾斜部分Ｆ１を通過する際に支障が出ることも防ぐことができる。さらに、超音波診断装置１を移動させる際に、キャスター用ガード１０をいちいち取り外す手間も省略できる。これにより、床面に散乱するケーブル類がキャスターに絡まることを防ぎ、かつ床面に引きずられることなく、移動型装置のスムーズな移動が可能となる。
【００３７】
また、ガード本体３０は、少なくともキャスター３の回転方向における先着側に配置され、かつ障害物Ｃを押しのける押しのけ部（第一筒壁部３１、第四筒壁部３４）を有するので、超音波診断装置１を移動させる際に、障害物Ｃを押しのけて進行させることができる。さらに、押しのけ部は、少なくともキャスター３の回転方向における先着側に配置されていればよいので、キャスター用ガード１０の小型化・軽量化を図ることができる。
【００３８】
また、ガード本体３０は、最下方への位置調整時に、キャスター３が接する床面Ｆとの間に隙間Ｓ２が形成されるようにして装着部２０に取り付けられているので、キャスター用ガード１０に埃が付着したり、キャスター用ガード１０によって床面に傷や汚れがついてしまったりすることを防ぐことができる。
【００３９】
また、装着部２０は、一対の車輪４に対して非接触とされ、かつ保持部５に取り付けられているので、例えば旋回などの保持部５の動きに連動しながら、一対の車輪４の回転を妨げないようにすることができる。そして、このように装着部２０が、キャスター３の保持部５の動きに連動するため、装着部２０に取り付けられたガード本体３０も連動することになる。これにより、ガード本体３０の押しのけ部とキャスター３との位置関係が変わらなくなるので、押しのけ部を、常に、少なくともキャスター３の回転方向における先着側に配置させておくことができる。
【００４０】
また、キャスター３は、例えば超音波診断装置１のような重量物の下端部に、当該重量物の脚部２として設けられているので、超音波診断装置１のような重量物であっても容易に移動させることができ、その際に、キャスター用ガード１０が、床面Ｆに引きずられて移動することもないし、キャスター３によって各種ケーブル等の障害物Ｃを踏んでしまうようなこともない。
【００４１】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００４２】
〔変形例１〕
上記の実施形態においては、押しのけ部として、壁状の第一筒壁部３１及び第四筒壁部３４が採用されているが、本変形例における押しのけ部は、図示はしないが、ピン形状となっている。すなわち、本変形例においては、一対の車輪４の回転方向における先着側に、押しのけ部としてピンが設けられている。この場合、ガード本体３０は、装着部２０を抱持できるとともに、上下方向に位置調整可能な構成であればよい。
このような本変形例によれば、キャスター用ガード１０の小型化・軽量化を図ることができる。
【００４３】
〔変形例２〕
上記の実施形態においては、ガード本体３０の上下位置調整部として、装着部２０の第二側壁部２３及び第三側壁部２４に、孔部２３ａ，２３ｂ・２４ａ，２４ｂが形成されるものとしたが、本変形例においては、図１０（ａ），（ｂ）に示すように、装着部２０の第二側壁部２３及び第三側壁部２４における外側面に、上下に連続する複数の係合凹部２８が形成されている。そして、ガード本体３０の第二筒壁部３２及び第三筒壁部３３における突部３２ａ，３３ａは、複数の係合凹部２８のいずれにも係合できるようになっている。
このような本変形例によれば、装着部２０に対するガード本体３０の上下位置調整を細かく設定することができる。
【００４４】
〔変形例３〕
脚部２は、複数の枝脚２ｂを有しており、それぞれの枝脚２ｂの先端部下面にキャスター３が取り付けられている。そして、各キャスター３にキャスター用ガード１０が装着されている。
上記の実施形態においては、各キャスター３に装着されたキャスター用ガード１０のガード本体３０は一つ一つ上下位置の調整を行う構成となっているが、本変形例における各キャスター用ガード１０のガード本体３０は、図示はしないが、例えばワイヤーで吊るなどして、いっぺんに上下位置の調整を行うことができる。また、キャスター３が、例えば、旋回不可の固定キャスターであった場合は、隣り合うキャスター用ガード１０のガード本体３０同士を連結部材で連結して、いっぺんに上下位置の調整を行えるようにしてもよい。
このような本変形例によれば、複数のキャスター用ガード１０におけるガード本体３０の上下位置調整をいっぺんに行うことができるので、一つ一つのガード本体３０の上下位置を調整する手間を省略することができる。
【符号の説明】
【００４５】
１  超音波診断装置
２  脚部
２ａ  支柱
２ｂ  枝脚
３  キャスター
４  車輪
５  保持部
５ａ  回転軸
５ｂ  操作部
６  接続部
１０  キャスター用ガード
２０  装着部
２１  天板部
２１ａ  開口部
２１ｂ  筒状部
２２  第一側壁部
２３  第二側壁部
２３ａ  孔部
２３ｂ  孔部
２４  第三側壁部
２４ａ  孔部
２４ｂ  孔部
２５  第四側壁部
２５ａ  下垂壁部
２６  挟持壁部
２７  掴持壁部
２７ｂ  引掛部
３０  ガード本体
３１  第一筒壁部
３２  第二筒壁部
３２ａ  突部
３２ｂ  折り返し部
３３  第三筒壁部
３３ａ  突部
３３ｂ  折り返し部
３４  第四筒壁部（背面押しのけ部）
Ｃ  障害物
Ｆ  床面
Ｓ１  隙間
Ｓ２  隙間
Ｓ３  隙間
【図１】
2019081525.tif 000003
【図２】
2019081525.tif 000004
【図３】
2019081525.tif 000005
【図４】
2019081525.tif 000006
【図５】
2019081525.tif 000007
【図６】
2019081525.tif 000008
【図７】
2019081525.tif 000009
【図８】
2019081525.tif 000010
【図９】
2019081525.tif 000011
【図１０】
2019081525.tif 000012